(57)【要約】【課題】本発明は、変調部の内部処理を複雑化することなく、通信相手先装置のそれぞれに対応するアナログ信号の送信タイミングを異ならせることができる。【解決手段】変調部１２０は、ＰＳ２００のそれぞれに対して共通に用いられ、ＰＳ２００のそれぞれに対応する送信されるべきデータを同一タイミングで変調する。メモリ１４０−１〜１４０−ｎは、変調されたデータである変調波形データのそれぞれをＰＳ２００毎に記憶する。Ｄ／Ａ変換部１５０−１〜１５０−ｎは、変調波形データのそれぞれを異なるタイミングでメモリ１４０−１〜１４０−ｎから読出し、読出した変調波形データをアナログ信号に変換する。無線部１６０−１〜１６０−ｎは、アナログ信号を該当するＰＳ２００に送信する。【選択図】図２
2007266848.tif 000002
【特許請求の範囲】
【請求項１】
通信相手先装置のそれぞれに対して共通に用いられ、前記通信相手先装置のそれぞれに対応する送信されるべきデータを同一タイミングで変調する変調部と、
変調されたデータである変調波形データのそれぞれを前記通信相手先装置毎に記憶するメモリと、
前記変調波形データのそれぞれを異なるタイミングで前記メモリから読出し、読出した前記変調波形データをアナログ信号に変換する変換部と、      
前記アナログ信号を前記通信相手先装置に送信する送信部と
を備えることを特徴とする基地局。
【請求項２】
前記変調波形データは、前記通信相手先装置間で共通に用いられる制御データを含み、
前記変調波形データのそれぞれは、第１変調波形データと第２変調波形データとを含み、
前記変換部は、前記第１変調波形データの読出しを開始し、前記第１変調波形データに含まれている前記制御データの読出しを完了した後のタイミングで、前記第２変調波形データの読出しを開始することを特徴とする請求項１に記載の基地局。
【請求項３】
通信相手先装置のそれぞれに対して共通に用いられ、前記通信相手先装置のそれぞれに対応する送信されるべきデータを同一タイミングで変調する変調部を備える基地局で動作する通信方法であって、
変調されたデータである変調波形データのそれぞれを前記通信相手先装置毎に記憶する第１ステップと、
前記変調波形データのそれぞれを異なるタイミングで前記メモリから読出し、読出した前記変調波形データをアナログ信号に変換する第２ステップと、      
前記アナログ信号を前記通信相手先装置に送信する第３ステップと
を備えることを特徴とする通信方法。
【請求項４】
前記変調波形データは、前記通信相手先装置間で共通に用いられる制御データを含み、
前記変調波形データのそれぞれは、第１変調波形データと第２変調波形データとを含み、
前記第２ステップでは、前記第１変調波形データの読出しを開始し、前記第１変調波形データに含まれている前記制御データの読出しを完了した後のタイミングで、前記第２変調波形データの読出しを開始することを特徴とする請求項３に記載の通信方法。
【請求項５】
通信相手先装置のそれぞれに対して共通に用いられ、前記通信相手先装置のそれぞれに対応する送信されるべきデータを同一タイミングで変調する変調部を備える基地局で動作する通信プログラムであって、
コンピュータに、
変調されたデータである変調波形データのそれぞれを前記通信相手先装置毎に記憶する第１ステップと、
前記変調波形データのそれぞれを異なるタイミングで前記メモリから読出し、読出した前記変調波形データをアナログ信号に変換する第２ステップと、      
前記アナログ信号を前記通信相手先装置に送信する第３ステップと
を実行させることを特徴とする通信プログラム。
【請求項６】
前記変調波形データは、前記通信相手先装置間で共通に用いられる制御データを含み、
前記変調波形データのそれぞれは、第１変調波形データと第２変調波形データとを含み、
前記第２ステップでは、前記第１変調波形データの読出しを開始し、前記第１変調波形データに含まれている前記制御データの読出しを完了した後のタイミングで、前記第２変調波形データの読出しを開始することを特徴とする請求項５に記載の通信プログラム。
【発明の詳細な説明】
【技術分野】
【０００１】
本発明は、基地局、通信方法及び通信プログラムに関する。
【背景技術】
【０００２】
従来、ＰＨＳ（Personal Handyphone System）等、時分割多元接続（ＴＤＭＡ）を用いた無線通信システムでは、各種変調方式が用いられている。
【０００３】
例えば、各種変調方式には、送信されるべきデータの内容に応じて搬送波信号の振幅を変調する振幅変調方式、当該データの内容に応じて搬送波信号の周波数を変調する周波数変調方式、当該データの内容に応じて搬送波信号の位相を変調する位相変調方式などが含まれている（例えば、特許文献１参照）。
【０００４】
上記無線通信システムにおける基地局（ＣＳ）の中には、通信相手先装置（ＰＳ）のそれぞれに対して共通に用いられる変調部であり、且つＰＳのそれぞれに対応する送信されるべきデータを同一タイミングで変調する変調部を備えるＣＳが存在する。
【０００５】
このようにＰＳのそれぞれに対応する変調部を備えずに、ＰＳのそれぞれに対して共通に用いられる単一の変調部を備えることにより、変調部の回路規模を増大させないようにすることができるとともに、変調部の製造コストを低減することができる。
【０００６】
また、ＰＳのそれぞれに対応する送信されるべきデータが同一タイミングで変調されるため、ＣＳは、複数のアダプティブアレイを用いて、変調した変調波形データに対応するアナログ信号のそれぞれを該当する各ＰＳに同時に送信することができる。
【０００７】
ここで、上記変調波形データのそれぞれには、ＰＳ間で共通に用いられる制御データ（同期データ）が含まれている。
【特許文献１】特願平４−２６７３１号公報
【発明の開示】
【発明が解決しようとする課題】
【０００８】
しかしながら、上記ＣＳでは下記に示す問題が生じていた。具体的には、上記変調波形データに対応するアナログ信号のそれぞれが該当する各ＰＳに同時に送信されると、当該アナログ信号のうち、上記制御データに対応する信号（以下、制御信号）のそれぞれも同時に送信される場合がある。この場合には、当該制御信号間で干渉が生じることがあるため、ＣＳは、当該制御信号を用いて該当するＰＳとの通信を適切に実行することができない場合があった。
【０００９】
この点を解決するために、上記変調部においては、アナログ信号（制御信号）のそれぞれの送信タイミングを異ならせるために、ＰＳのそれぞれに対応する変調のタイミングを異ならせることが考えられる。
【００１０】
ところが、上記ＰＳのそれぞれに対応する変調のタイミングが異なると、以下に示す問題が生じる。
【００１１】
例えば、上記変調部は、第１ＰＳ及び第２ＰＳのそれぞれに対応する第１変調波形データ及び第２変調波形データを生成する場合を考える。
【００１２】
第１ＰＳ及び第２ＰＳのそれぞれに対応する変調のタイミングが同一である場合には、変調部は、第１変調波形データ及び第２変調波形データを期間Ａ内に同時に生成することができる。期間Ａは、第１変調波形データ（第１ＰＳ）及び第２変調波形データ（第２ＰＳ）の生成に用いられるものとする。
【００１３】
一方、上記第１ＰＳ及び第２ＰＳのそれぞれに対応する変調のタイミングが異なる場合には、第１変調波形データ及び第２変調波形データのうちのいずれか一方（特定変調波形データ）の生成が遅れることとなるため、変調部は、期間Ａにおいて、当該特定変調波形データを完全に生成することができない。
【００１４】
このため、上記変調部は、上記特定変調波形データを完全に生成するまで、期間Ａに続く期間Ｂを生起しないようにする必要がある。当該期間Ｂは、第１変調波形データ（第１ＰＳ）及び第２変調波形データ（第２ＰＳ）以外の変調波形データの生成に用いられるものとする。
【００１５】
このように、通信相手先装置（ＰＳ）のそれぞれに対応する変調のタイミングが異なると、変調波形データの生成に用いる期間が通信相手先装置毎に調整されなければならず、変調部の内部処理が複雑化することとなる。
【００１６】
そこで、本発明は以上の点に鑑みてなされたものであり、変調部の内部処理を複雑化することなく、通信相手先装置のそれぞれに対応するアナログ信号の送信タイミングを異ならせることができる基地局、通信方法及び通信プログラムを提供することを目的とする。
【課題を解決するための手段】
【００１７】
上記課題を解決するために、本発明の第１の特徴は、通信相手先装置のそれぞれに対して共通に用いられ、前記通信相手装置のそれぞれに対応する送信されるべきデータを同一タイミングで変調する変調部と、変調されたデータである変調波形データのそれぞれを前記通信相手先装置毎に記憶するメモリと、前記変調波形データのそれぞれを異なるタイミングで読出し、読出した前記変調波形データをアナログ信号に変換する変換部と、前記アナログ信号を前記通信相手先装置に送信する送信部とを備えることを要旨とする。
【００１８】
かかる特徴によれば、基地局は、変調部によって同時に生成された変調波形データのそれぞれをアナログ信号に変換する前に、変調部とは別に備えられたメモリに変調波形データのそれぞれを記憶する。
【００１９】
これにより、基地局は、メモリに記憶された変調波形データのそれぞれの読出しタイミングを変更することができるため、変調部において変調波形データのそれぞれの生成タイミングを異ならせる必要がなくなる。このため、基地局は、変調部の内部処理を複雑化することなく、通信相手先装置のそれぞれに対応するアナログ信号の送信タイミングを異ならせることができる。
【００２０】
本発明の第２の特徴は、前記変調波形データが、前記通信相手先装置間で共通に用いられる制御データを含み、前記変調波形データのそれぞれが、第１変調波形データと第２変調波形データとを含み、前記変換部は、前記第１変調波形データの読出しを開始し、前記第１変調波形データに含まれている前記制御データの読出しを完了した後に、前記第２変調波形データの読出しを開始することを要旨とする。
【発明の効果】
【００２１】
本発明の特徴によれば、変調部の内部処理を複雑化することなく、通信相手先装置のそれぞれに対応するアナログ信号の送信タイミングを異ならせることができる。
【発明を実施するための最良の形態】
【００２２】
（無線通信システムの全体概略構成）
図１は、本実施形態に係る無線通信システムの全体概略構成図である。本無線通信システムは、例えばＰＨＳ（personal handyphone system）の規格に準拠した無線通信システムに適用することができる。
【００２３】
本実施形態では、無線通信システムは、基地局１００（以下、ＣＳ１００と適宜省略する）と、移動局２００−１〜２００−ｎ（以下、ＰＳ２００−１〜２００−ｎと適宜省略する）とを備えている。なお、無線通信システムを構成する基地局及び移動局は、図１に示した数に限定されるものではない。また、移動局は、通信相手先装置を構成する。
【００２４】
（基地局の機能ブロック構成）
図２は、ＣＳ１００の機能ブロック構成図である。図２に示すように、ＣＳ１００は、データ生成部１１０と、変調部１２０と、時間制御部１３０と、メモリ１４０−１〜１４０−ｎと、Ｄ／Ａ変換部１５０−１〜１５０−ｎと、無線部１６０−１〜１６０−ｎとを備えている。
【００２５】
データ生成部１１０は、ＰＳ２００−１〜２００−ｎのそれぞれに対応する送信されるべきデータ１〜ｎを生成する。データ生成部１１０は、生成されたデータ１〜ｎを生成データ１〜ｎとしてマッピング部１２１に出力する。
【００２６】
変調部１２０は、ＰＳ２００−１〜２００−ｎのそれぞれに対して共通に用いられ、ＰＳ２００−１〜２００−ｎのそれぞれに対応する送信されるべきデータを同一タイミングで変調する。変調部１２０は、マッピング部１２１と、ＭＵＸ１２２と、ＲＯＭ１２３と、ＤＥＭＵＸ１２４とを備えている。
【００２７】
ここで、本実施形態に係るマッピング部１２１は、π／４シフトＱＰＳＫと呼ばれる変調方式を用いることができる。図３に示すように、π／４シフトＱＰＳＫでは、Ｉ成分及びＱ成分により構成される複素平面座標上において、Ａ〜Ｄ及びＥ〜Ｈで示す８個の信号点が配置されている。隣り合う信号点同士の位相は、π／４づつずれている。Ａ〜ＤのグループとＥ〜Ｈのグループとは交互に用いられる。
【００２８】
なお、マッピング部１２１は、π／４シフトＱＰＳＫの変調方式を用いるが、これに限定されないのは勿論のことである。
【００２９】
マッピング部１２１は、入力された生成データ１〜ｎを構成する２値ビット列を数ビット列づつ区切り、区切った数ビット列に対応する信号点を数ビット列毎に特定する。
【００３０】
例えば、生成データ１を構成する２値ビット列のうちの数ビット列に対応する信号点がＡである場合には、マッピング部１２１は、図３に示す（Ｑ１，Ｉ１，Ｑ２，Ｉ２）＝（０，０，１，−１）の信号点をマッピングデータとして特定する。また、マッピング部１２１は、生成データ１を構成する数ビット列のそれぞれに対応するマッピングデータを特定する。
【００３１】
なお、マッピング部１２１は、生成データ１と同様に、生成データ２〜ｎを用いてマッピングデータを特定する。また、マッピング部１２１は、生成データ１〜ｎのそれぞれを構成する数ビット列を用いて当該数ビット列に対応するマッピングデータのそれぞれを同一タイミングで特定することもできる。
【００３２】
ＭＵＸ１２２は、特定された各マッピングデータを順次切換選択することにより、当該各マッピングデータを生成データ１〜ｎのそれぞれに対応する各マッピングデータとなるように時間的に合成し、合成した各マッピングデータをＲＯＭ１２３に出力する。
【００３３】
ＲＯＭ１２３は、ＭＵＸ１２２を介して、生成データ１〜ｎのそれぞれに対応する変調波形データ１〜ｎを記憶する。例えば、生成データ１に対応する各マッピングデータが、マッピングデータ１−１〜１−ｎである場合を考える。
【００３４】
この場合には、ＲＯＭ１２３は、マッピングデータ１−１〜１−ｎと、搬送波信号に対応するディジタルデータを示す搬送波データ１−１〜１−ｎとによって定められた変調波形データ１を記憶する。また、ＲＯＭ１２３は、マッピングデータ２−１〜２−ｎと、搬送波データ２−１〜２−ｎとによって定められた変調波形データ２を記憶する。同様にして、ＲＯＭ１２３は、変調波形データ３〜ｎを記憶する。
【００３５】
本実施形態に係る変調波形データ１〜ｎは、Ｄ／Ａ変換部１５０−１〜１５０−ｎから出力されるアナログ信号（無線信号）１〜ｎに対応するディジタルデータとなる。
【００３６】
ＤＥＭＵＸ１２４は、ＲＯＭ１２３に記憶されている変調波形データ１〜ｎをメモリ１４０−１〜１４０−ｎに記憶する。
【００３７】
時間制御部１３０は、マッピング部１２１、ＭＵＸ１２２、ＲＯＭ１２３、ＤＥＭＵＸ１２４及びメモリ１４０−１〜１４０−ｎのそれぞれの動作タイミングを制御する。
【００３８】
本実施形態では特に、時間制御部１３０は、Ｄ／Ａ変換部１５０−１〜１５０−ｎによって変調波形データ１〜ｎのそれぞれが読出されるタイミング（読出しタイミング）を異ならせるために、変調波形データに対してゼロデータを付加するか否か変調波形データ毎に決定する（図４参照）。
【００３９】
具体的には、Ｄ／Ａ変換部１５０−１〜１５０−ｎによってメモリ１４０−１〜１４０−ｎの記憶内容が同時に読出される場合に、変調波形データ１〜ｎのそれぞれに含まれている制御データが読出される時間と、他の制御データが読出されている時間とが重ならないようにするために、時間制御部１３０は、変調波形データに対してゼロデータを付加するか否か変調波形データ毎に決定する。当該制御データは、ＰＳ間で共通に用いられるデータであり、同期データなどを含んでいる。
【００４０】
例えば、時間制御部１３０は、変調波形データ（ＰＳ）のそれぞれに対してゼロデータを付加するか否かを示す情報、及びゼロデータの長さを示す情報を含むテーブルを有する。ゼロデータの長さは、制御データのそれぞれの読出しタイミングを異ならせるのに必要な長さとなっている。
【００４１】
そして、時間制御部１３０は、当該テーブルを参照し、変調波形データ（ＰＳ）のそれぞれに対してゼロデータを付加するか否か決定したり、ゼロデータの長さを決定したりする。
【００４２】
また、時間制御部１３０は、変調波形データ（例えば、変調波形データ１）に対してゼロデータを付加することを決定し、当該ゼロデータの長さを決定した場合には、変調波形データ（例えば、変調波形データ１）に対してゼロデータを付加するように指示する付加有指示信号を該当するメモリ１４０（例えば、メモリ１４０−１）に出力する。当該付加有指示信号には、ゼロデータの長さを示す情報が含まれる。
【００４３】
一方、時間制御部１３０は、変調波形データ（例えば、変調波形データ１）に対してゼロデータを付加しないことを決定した場合には、変調波形データ（例えば、変調波形データ１）に対してゼロデータを付加しないように指示する付加無指示信号を該当するメモリ１４０（例えば、メモリ１４０−１）に出力する。
【００４４】
メモリ１４０−１〜１４０−ｎのそれぞれは、時間制御部１３０から入力された指示信号（上記付加有指示信号、上記付加無指示信号）に基づいて、ゼロデータを変調波形データに付加してゼロデータ及び変調波形データを記憶するか、又はゼロデータを付加せずに変調波形データを記憶する。なお、メモリ１４０−１〜１４０−ｎは、メモリを構成する。
【００４５】
例えば、メモリ１４０−１は、時間制御部１３０から付加無指示信号が入力された場合には、ゼロデータを変調波形データ１に付加しない。この場合には、図４（ａ）に示すように、メモリ１４０−１は、付加無指示信号と変調波形データ１とによって定められるアドレスに、ゼロデータを付加せずに変調波形データ１を記憶する。
【００４６】
また、メモリ１４０−２は、時間制御部１３０から付加有指示信号１が入力された場合には、当該付加有指示信号１に対応するゼロデータ１を変調波形データ２に付加する。この場合には、図４（ｂ）に示すように、メモリ１４０−２は、付加有指示信号１と変調波形データ２とによって定められるアドレスに、ゼロデータ１及び変調波形データ２を記憶する。
【００４７】
さらに、メモリ１４０−３は、時間制御部１３０から付加有指示信号２が入力された場合には、当該付加有指示信号２に対応するゼロデータ２を変調波形データ３に付加する。この場合には、図４（ｃ）に示すように、メモリ１４０−３は、付加有指示信号２と変調波形データ３とによって定められるアドレスに、ゼロデータ２及び変調波形データ３を記憶する。
【００４８】
上記と同様に、メモリ１４０−４〜１４０−ｎは、時間制御部１３０から付加有指示信号が入力された場合にはゼロデータ及び変調波形データを記憶する。また、メモリ１４０−４〜１４０−ｎは、時間制御部１３０から付加無指示信号が入力された場合にはゼロデータを付加せずに変調波形データを記憶する。
【００４９】
Ｄ／Ａ変換部１５０−１〜１５０−ｎは、メモリ１４０−１〜１４０−ｎの記憶内容を同時に読み出す。なお、時間制御部１３０及びＤ／Ａ変換部１５０−１〜１５０−ｎは、変換部を構成する。
【００５０】
本実施形態では、Ｄ／Ａ変換部１５０−１〜１５０−ｎは、変調波形データ１〜ｎのいずれかの特定変調波形データ（例えば、変調波形データ１）の読出しを開始し、当該特定変調波形データに含まれている制御データの読出しを完了した後に、当該特定変調波形データ以外の変調波形データ（例えば、変調波形データ２）の読出しを開始する。
【００５１】
ここで、図４を参照しながら、Ｄ／Ａ変換部１５０−１〜１５０−ｎの動作についてＤ／Ａ変換部１５０−１〜１５０−３に注目して詳細に説明する。
【００５２】
Ｄ／Ａ変換部１５０−１に対応するメモリ１４０−１には、ゼロデータが付加されていない変調波形データ１が記憶されている（図４（ａ））。Ｄ／Ａ変換部１５０−２に対応するメモリ１４０−２には、ゼロデータ１が付加された変調波形データ２が記憶されている（図４（ｂ））。Ｄ／Ａ変換部１５０−３に対応するメモリ１４０−３には、ゼロデータ１よりも長いゼロデータ２が付加された変調波形データ３が記憶されている（図４（ｃ））。
【００５３】
Ｄ／Ａ変換部１５０−１〜１５０−３がメモリ１４０−１〜１４０−３の記憶内容を同時に読み出すと、Ｄ／Ａ変換部１５０−１は、変調波形データ１にはゼロデータが付加されていないため、変調波形データ１を変調波形データ２及び変調波形データ３よりも早く読み出すことになる。
【００５４】
また、変調波形データ２に付加されているゼロデータ１は、変調波形データ１に含まれている制御データが読み出される時間に相当するデータ長を有する。これにより、Ｄ／Ａ変換部１５０−２が、変調波形データ２の読出しに先立ってゼロデータ１を読み出すため、Ｄ／Ａ変換部１５０−２は、変調波形データ１に含まれている制御データの読出しが完了した以降に、変調波形データ２を読み出すことになる。
【００５５】
さらに、変調波形データ３に付加されているゼロデータ２は、変調波形データ１及び変調波形データ２のそれぞれに含まれている制御データが読み出される時間に相当するデータ長を有する。これにより、Ｄ／Ａ変換部１５０−３が、変調波形データ３の読出しに先立ってゼロデータ２を読み出すため、Ｄ／Ａ変換部１５０−３は、変調波形データ１及び変調波形データ２のそれぞれに含まれている制御データの読出しが完了した以降に、変調波形データ３を読み出すことになる。
【００５６】
これにより、Ｄ／Ａ変換部１５０−１〜１５０−３は、変調波形データ１〜３のそれぞれに含まれている制御データの読出しタイミングが重ならないように、変調波形データ１〜３のそれぞれを異なるタイミングで読み出すことができる。
【００５７】
また、Ｄ／Ａ変換部１５０−１〜１５０−３が、変調波形データ１〜３のそれぞれを異なるタイミングで読み出すため、Ｄ／Ａ変換部１５０−１〜１５０−３は、変調波形データを変換したアナログ信号のそれぞれを異なるタイミングで出力することができる。
【００５８】
無線部１６０−１〜１６０−ｎは、Ｄ／Ａ変換部１５０−１〜１５０−ｎから入力されたアナログ信号のそれぞれを該当するＰＳに送信する。なお、無線部１６０−１〜１６０−ｎは、無線部を構成する。
【００５９】
（基地局の動作）
次に、上述した実施形態に係る基地局において動作する通信方法について図５を参照しながら説明する。
【００６０】
図５に示すように、Ｓ１において、時間制御部１３０は、メモリ１４０−１〜１４０−ｎの記憶内容を全て消去する。
【００６１】
Ｓ３において、データ生成部１１０は、ＰＳ２００−１〜２００−ｎのそれぞれに対応する送信されるべきデータ１〜ｎを生成データ１〜ｎとして生成する。
【００６２】
Ｓ５において、変調部１２０は、上述したπ／４シフトＱＰＳＫの変調方式を用いて、生成データ１〜ｎのそれぞれを変調波形データ１〜ｎとして同時に変調する。
【００６３】
Ｓ７において、メモリ１４０−１〜１４０−ｎは、変調波形データ１〜ｎを記憶する。
【００６４】
具体的には、メモリ１４０−１〜１４０−ｎのそれぞれは、時間制御部１３０から「付加有指示信号」が入力された場合には、ゼロデータを変調波形データに付加して、ゼロデータ及び変調波形データを記憶する。
【００６５】
一方、メモリ１４０−１〜１４０−ｎのそれぞれは、時間制御部１３０から「付加無指示信号」が入力された場合には、ゼロデータを付加せずに変調波形データを記憶する。
【００６６】
Ｓ９において、Ｄ／Ａ変換部１５０−１〜１５０−ｎは、メモリ１４０−１〜１４０−ｎの記憶内容を同時に読出す。本実施形態では、変調波形データに付加されているゼロデータのそれぞれの長さが異なるため、Ｄ／Ａ変換部１５０−１〜１５０−ｎは、メモリ１４０−１〜１４０−ｎに記憶されている変調波形データ１〜ｎのそれぞれを異なるタイミングで読み出すことになる。
【００６７】
Ｓ１１において、Ｄ／Ａ変換部１５０−１〜１５０−ｎは、読出した変調波形データをアナログ信号に変換する。Ｄ／Ａ変換部１５０−１〜１５０−ｎが変調波形データ１〜ｎのそれぞれを異なるタイミングで読み出すため、Ｄ／Ａ変換部１５０−１〜１５０−ｎは変換したアナログ信号のそれぞれを異なるタイミングで出力する。
【００６８】
Ｓ１３において、無線部１６０−１〜１６０−ｎは、Ｄ／Ａ変換部１５０−１〜１５０−ｎから入力されたアナログ信号のそれぞれを該当するＰＳに送信する。
【００６９】
かかる特徴によれば、ＣＳ１００は、変調部１２０によって同時に生成された変調波形データ１〜ｎをアナログ信号に変換する前に、変調部１２０とは別に備えられたメモリ１４０−１〜１４０−ｎに変調波形データ１〜ｎを記憶する。
【００７０】
これにより、ＣＳ１００は、メモリ１４０−１〜１４０−ｎに記憶された変調波形データ１〜ｎのそれぞれの読出しタイミングを変更することができるため、変調部１２０において変調波形データの生成タイミングを異ならせる必要がなくなる。このため、ＣＳ１００は、変調部１２０の内部処理を複雑化することなく、ＰＳのそれぞれに対応するアナログ信号の送信タイミングを異ならせることができる。
【００７１】
また、変調波形データに含まれている制御データのそれぞれの読出しタイミングが重複しない。これにより、ＣＳ１００は、アナログ信号のうち、“制御データ”に対応する信号（以下、制御信号）の送信タイミングと、他のアナログ信号に対応する制御信号の送信タイミングとを異ならせることができる。
【００７２】
このため、制御信号間で干渉が生じ難くなるため、ＣＳ１００は、当該制御信号を用いて該当するＰＳとの通信をより適切に実行することができる。
【００７３】
［その他の実施形態］
上述したように本発明の一例を説明したが、具体例を例示したに過ぎず、特に本発明を限定するものではなく、各部の具体的構成等は、適宜設計変更可能である。
【００７４】
例えば、ＣＳ１００は、ゼロデータを変調波形データに付加することにより、メモリ１４０（１４０−１〜１４０−ｎ）に記憶された変調波形データのそれぞれを異なるタイミングで読み出しているが、これに限定される分けではない。
【００７５】
具体的には、ＣＳ１００は、ゼロデータを付加せずに、変調波形データのそれぞれをメモリ１４０に記憶する。ＣＳ１００は、変調波形データのそれぞれを読み出す読出しタイミングを設定する。ＣＳ１００は、カウンタによって計時された時点が読出しタイミングに到達した場合には、当該読出しタイミングに対応する変調波形データをメモリ１４０から読み出す。
【００７６】
同様にして、ＣＳ１００は、カウンタによって計時された時点が次の読出しタイミングに到達した場合には、当該次の読出しタイミングに対応する変調波形データをメモリ１４０から読み出す。
【００７７】
このようにＣＳ１００は、ゼロデータを変調波形データに付加しなくても、変調波形データのぞれぞれに対応する読出しタイミングを設定することにより、変調波形データのそれぞれを異なるタイミングでメモリ１４０から読み出すことができる。
【００７８】
ＣＳ１００の機能は、コンピューターや通信装置において実行可能な通信プログラムとしても提供することができる。
【００７９】
実施形態及び変更例の構成はそれぞれ組み合わせることが可能である。また、実施形態及び変更例の作用及び効果は、本発明から生じる最も好適な作用及び効果を列挙したに過ぎず、本発明による作用及び効果は、実施形態及び変更例に記載されたものに限定されるものではない。
【図面の簡単な説明】
【００８０】
【図１】本実施形態に係る無線通信システムの概略構成図である。
【図２】本実施形態に係る基地局の内部構成図である。
【図３】本実施形態に係る複素平面上の信号点を示す図である。
【図４】本実施形態に係る変調波形データ及びゼロデータを示す図である。
【図５】本実施形態に係る通信方法のフロー図である。
【符号の説明】
【００８１】
１００…基地局、１１０…データ生成部、１２０…変調部、１２１…マッピング部、１２２…ＭＵＸ、１２３…ＲＯＭ、１２４…ＤＥＭＵＸ、１３０…時間制御部、１４０…メモリ、１５０…変換部、１６０…無線部、２００…移動局
【図１】
2007266848.tif 000003
【図２】
2007266848.tif 000004
【図３】
2007266848.tif 000005
【図４】
2007266848.tif 000006
【図５】
2007266848.tif 000007